(57)【要約】【課題】  スイッチ操作による雑音の混入を防止し、また、誤動作も防止可能なハンドセットマイクロホンを得る。【解決手段】  マイクロホンユニットと、上記マイクロホンユニットの出力端に並列に接続された第１スイッチと、上記出力端を開閉する第２スイッチと、を備えたハンドセットマイクロホンであって、上記第１スイッチと上記第２スイッチとは、磁界の影響により接点が開閉し、上記第１スイッチは、磁界の影響を受けているときには接点が閉鎖されて上記出力端を短絡させ、上記第２スイッチは、磁界の影響を受けているときには接点が開放されて上記出力端を切断する、ハンドセットマイクロホンによる。【選択図】図１
2015005837.tif 000002
【特許請求の範囲】
【請求項１】
マイクロホンユニットと、
上記マイクロホンユニットの出力端に並列に接続された第１スイッチと、
上記出力端を開閉する第２スイッチと、
を備えたハンドセットマイクロホンであって、
上記第１スイッチと上記第２スイッチとは、磁界の影響により接点が開閉し、
上記第１スイッチは、磁界の影響を受けているときには接点が閉鎖されて上記出力端を短絡させ、
上記第２スイッチは、磁界の影響を受けているときには接点が開放されて上記出力端を切断する、
ことを特徴とするハンドセットマイクロホン。
【請求項２】
上記第１スイッチは、磁界の影響を受けていないときには接点が開放される、
請求項１記載のハンドセットマイクロホン。
【請求項３】
上記第２スイッチは、磁界の影響を受けていないときには接点が閉鎖される、
請求項１または２記載のハンドセットマイクロホン。
【請求項４】
筐体を備え、
上記筐体は、保持部材に保持され、
上記第２スイッチは、上記筐体が上記保持部材に保持されているとき、上記保持部材が備える磁石の磁界の影響を受けて、接点が開放される、
請求項１乃至３のいずれかに記載のハンドセットマイクロホン。
【請求項５】
上記保持部材は、上記筐体に設けられた孔に係合するフックである、
請求項４記載のハンドセットマイクロホン。
【発明の詳細な説明】
【技術分野】
【０００１】
本発明は、スイッチ操作による雑音の混入を防止し、また、誤動作も防止可能なハンドセットマイクロホンに関するものである。
【背景技術】
【０００２】
音声を収音して出力するマイクロホンは様々な種類が知られている。その中で、送話スイッチが操作されているときは送話が可能であり、送話スイッチが操作されていないときは送話ができないようにするマイクロホンを、ハンドセットマイクロホンと呼ぶ（例えば、特許文献１を参照）。ハンドセットマイクロホンが備える送話スイッチには、一般的に、プッシュスイッチなどを用いる。ハンドセットマイクロホンを送話可能にするときは、プッシュスイッチを押下し、送話中はスイッチを押下した状態を維持する。一方、送話を終了するときは、プッシュスイッチを元の状態（押下されていない状態）に戻す。プッシュスイッチは、接点が機械的に開閉されるものである。
【０００３】
スイッチの接点を機械的に動作させると、接点が断続されるときに、雑音が発生しやすい。このような雑音の混入を防ぐには、機械動作による接点ではなく、スイッチノブに取り付けられた磁石を移動させることで接点を断続させるリードスイッチを用いるとよい。
【０００４】
リードスイッチをハンドセットマイクロホンの操作スイッチに用いると、送話開始と送話停止の操作時に生じる雑音を防止することができる。しかし、リードスイッチは、磁界によって接点を動作させるものであるから、外部から余計な磁界が加わると誤動作することがある。
【０００５】
ハンドセットマイクロホンは、無線通信機に用いられることが多く、スイッチ操作と連動して電波の送信を行うものも多い。このような無線通信機において、ハンドセットマイクロホンのスイッチが、外部磁界によって誤動作すると、無用な電波を送出することになる。
【先行技術文献】
【特許文献】
【０００６】
【特許文献１】特許第３８５７５９１号明細書
【発明の概要】
【課題を解決するための手段】
【０００７】
そこで本発明は、スイッチ操作による雑音の混入を防止し、また、誤動作も防止できるハンドセットマイクロホンを提供することを目的とする。
【０００８】
本発明は、ハンドセットマイクロホンに関するものであって、マイクロホンユニットと、上記マイクロホンユニットの出力をオン−オフする第１のスイッチと、上記マイクロホンユニットを出力可能状態に切り替える第２のスイッチと、を有し、上記第１のスイッチと上記第２のスイッチは磁界によって接点が動作するリードスイッチであって、上記第１のスイッチは、磁界の影響を受けているときには接点を開放し、磁界の影響を受けていないときは接点を閉じて上記マイクロホンユニットの出力を短絡し、上記第２のスイッチは、磁界の影響を受けているときには上記マイクロホンユニットの出力を短絡する、ことを最も主な特徴とする。
【発明の効果】
【０００９】
本発明によれば、スイッチ操作による雑音の混入を防止し、また、誤動作も防止できる
【図面の簡単な説明】
【００１０】
【図１】本発明に係るハンドセットマイクロホンの実施形態を示す回路図である。
【図２】上記ハンドセットマイクロホンの（ａ）動作準備段階の状態を示す回路図、（ｂ）動作時に外部磁界が加えられたときの状態を示す回路図、（ｃ）動作時に外部磁界が加えられた状態を示す回路図、である。
【図３】上記ハンドセットマイクロホンが備える送話スイッチの例であって、（ａ）送話スイッチが動作していない状態、（ｂ）送話スイッチが動作している状態、を示す説明図である。
【図４】上記ハンドセットマイクロホンが備えるフックスイッチの例であって、（ａ）フックスイッチが動作していない状態、（ｂ）フックスイッチが動作している状態、を示す説明図である。
【発明を実施するための形態】
【００１１】
以下、本発明に係るハンドセットマイクロホンの実施形態について図面を参照しながら説明する。図１は、本実施形態に係るハンドセットマイクロホン１００の構成を示す回路図である。図１に示すように、ハンドセットマイクロホン１００は、ダイナミック型のマイクロホンユニット３０と、第１スイッチである送話スイッチ１０と、第２スイッチであるフックスイッチ２０と、を有してなる。
【００１２】
送話スイッチ１０は、ハンドセットマイクロホン１００の操作部（不図示）の操作に応じて磁石の位置が変化する機構を有するリードスイッチである。操作部が操作されないときには、リードスイッチの接点部分に磁石からの磁界の影響が加えられて、接点部分が磁化されるようになっている。この磁界の影響によって、送話スイッチ１０の接点は閉じられる。一方、磁石からの磁界の影響を受けない状態になると、接点は開放される。すなわち、送話スイッチは、メーク接点のリードスイッチである。
【００１３】
図１に示すように、送話スイッチ１０は、マイクロホンユニット３０の出力端に並列に接続されている。送話スイッチ１０は、ハンドセットマイクロホン１００の操作部が操作されていないとき（例えば、押下されていないとき）は、磁石が接点部分に近づいて磁界の影響を与えるようになっている。このとき、送話スイッチ１０の接点は閉鎖されて、マイクロホンユニット３０の出力端は短絡される。
【００１４】
一方、ハンドセットマイクロホン１００の操作部が操作されると（例えば、押下されると）、磁石は接点部分から遠ざかる。これによって、接点部分は磁界の影響を受けないようになるので、接点が開放される。すなわち、操作部が操作されたとき、マイクロホンユニット３０からの出力は、後述するフックスイッチ２０の状態に応じて、出力端から出力される状態になる。
【００１５】
すなわち、送話スイッチ１０によって、ハンドセットマイクロホン１００の出力は、オン−オフの切り替えがなされる。
【００１６】
フックスイッチ２０は、磁界の影響を受けると常閉接点から常開接点へ切り替わるトランスファ接点のリードスイッチである。図１は、フックスイッチ２０が磁界の影響を受けている状態、すなわち、常開接点へと切り替わっている状態を示している。フックスイッチ２０へ影響を与える磁界は、例えば、ハンドセットマイクロホン１００を未使用時に固定するフックに備えられている磁石によりもたらされる。
【００１７】
ハンドセットマイクロホン１００は、図示しない筐体に壁掛け用部材を有している。ハンドセットマイクロホン１００を使用していないとき、壁掛け用部材を、壁に予め固定されている保持部材であるフックへ引っ掛けて固定させる。このフックに磁石が備えられている。この磁石の磁界の影響を受けて、フックスイッチ２０が常開接点へと切り替わる状態を維持する。すなわち、ハンドセットマイクロホン１００は、フックスイッチによって出力端が開閉される。
【００１８】
なお、ハンドセットマイクロホン１００の筐体に備わる壁掛け用部材は、例えば、筐体の一部に形成された孔である。また、この場合、保持部材であるフックを、筐体に形成された孔に係合させることで、ハンドセットマイクロホン１００を固定することができる。
【００１９】
すなわち、フックスイッチ２０によって、ハンドセットマイクロホン１００は、出力可能状態の切り替えを行うことができる。図１は、ハンドセットマイクロホン１００が未使用時であって、非送話状態を示している。このときマイクロホンユニット３０の出力端は、送話スイッチ１０によって短絡されていて、フックスイッチ２０の常閉接点とマイクロホンユニット３０の出力端は電気的に切断されている。したがって、マイクロホンユニット３０からの出力信号は、出力されない状態である。
【００２０】
次に、送話スイッチ１０の構成について詳細に説明する。図３は、送話スイッチ１０として用いられるリードスイッチの例を示す説明図である。図３（ａ）は、送話スイッチ１０が動作していない状態を示している。図３（ｂ）は、送話スイッチ１０が動作している状態を示している。
【００２１】
図３（ａ）に示すように、送話スイッチ１０は、２本の強磁性リードが、ある接点間隔をもって相対した状態で、ガラス管１４の中に封入された構造を有している。送話スイッチ１０において、各リードの軸方向に外部から磁界が加えられると、第１リード片１１と第２リード片１２が磁化されて、相対している自由端が互いに吸収し合って接触し、接点部１３が回路を閉じる。また、磁界が加えられる状態でなくなると、各リードの弾性によって接点部１３は開放されて、回路を開く。なお、ガラス管１４の中には、接点部１３の活性化を防ぐために不活性ガス１５が封入されている。
【００２２】
送話スイッチ１０は、操作部が操作されていないとき、接点部１３に磁界が加えられる位置に磁石があり、操作部が操作されているときは、接点部１３に磁界が加えられない位置に磁石があるように構成されている。
【００２３】
次に、フックスイッチ２０の構成について説明する。図４は、フックスイッチ２０として用いられるリードスイッチの例を示す説明図である。図４（ａ）は、フックスイッチ２０が磁界の影響を受けていない状態を示している。図４（ｂ）は、フックスイッチ２０が磁界の影響を受けている状態を示している。
【００２４】
フックスイッチ２０は、１本のリードと、このリードと接点間隔をもって相対する２本のリードが、ガラス管２４の中に封入された構造を有している。３本のリードのうちの２本のリードは、強磁性であって、一本がＣＯＭ（コモン）リード２１であり、もう一本がＮＯリード（常開接点）２３である。また、３本のリードのうち、他の１本のリードは、自由端に非磁性部を有するリードであってＮＣリード（常閉接点）２２である。なお、ガラス管２４の中には、接点部２６の活性化を防ぐために不活性ガス２５が封入されている。
【００２５】
図４（ａ）に示すように、フックスイッチ２０に磁界が加えられていない状態では、ＣＯＭリード２１の機械バイアスによって、ＣＯＭリード２１の自由端がＮＣリード２２の自由端と接触し、接点部２６を形成している。一方、図４（ｂ）に示すように、フックスイッチ２０のリードの軸方向に外部から磁界が加えられると、ＣＯＭリード２１とＮＯリード２３が磁化されて、相対した自由端が互いに吸収し合うと接点部２６が接触して回路が閉じられる。
【００２６】
次に、ハンドセットマイクロホン１００の動作について説明する。図２（ａ）は、ハンドセットマイクロホン１００の動作準備段階の状態を示す回路図である。図２（ｂ）は、ハンドセットマイクロホン１００の動作時の状態を示す回路図である。図２（ｃ）は、ハンドセットマイクロホン１００の動作時に外部磁界が加えられた状態を示す回路図である。
【００２７】
すでに説明をした図１におけるハンドセットマイクロホン１００は、図示しないフックにハンドセットマイクロホン１００が固定されている状態である。したがって、フックに取り付けられている磁石の影響をうけて、フックスイッチ２０のＣＯＭリード２１はＮＯリード２３に接触した状態になっている。この状態から、ハンドセットマイクロホン１００をフックから取り外すと、図２（ａ）に示すようになる。すなわち、フックスイッチ２０のＣＯＭリード２１が、ＮＣリード２２に接触する状態へと変化する。これによって、マイクロホンユニット３０の出力端は、フックスイッチ２０を介して出力端子に接続された状態になる。
【００２８】
次に、送話スイッチ１０が操作されて送話状態にされると、図２（ｂ）の状態になる。すなわち、図示しない操作部が押下されて、送話スイッチ１０に加わっていた磁界が遠ざけられるので、第１リード片１１と第２リード片１２の接点が開放される。これによってマイクロホンユニット３０からの出力信号は、フックスイッチ２０を介して出力される状態になる。
【００２９】
図２（ｂ）の状態において、送話スイッチ１０とフックスイッチ２０に予期せぬ外部磁界が加わると、図２（ｃ）に示すようになる。図２（ｃ）に示すように、送話スイッチ１０に外部磁界が加わると、第１リード片１１と第２リード片１２が接触して、マイクロホンユニット３０の出力端を短絡する。これによって、マイクロホンユニット３０からの出力は遮断される。また、フックスイッチ２０に外部磁界が加わると、ＣＯＭリード２１との接触が、ＮＣリード２２からＮＯリード２３へと切り替わる。これによって、マイクロホンユニット３０の出力端は、切断される。
【００３０】
ここで、図２（ｃ）は送話スイッチ１０と、フックスイッチ２０の両方に外部磁界が加わった場合を示している。但し、本発明において、外部磁界が送話スイッチ１０とフックスイッチ２０のいずれか一方のみに加われば、マイクロホンユニット３０からの出力は遮断される。
【００３１】
以上説明したハンドセットマイクロホン１００によれば、送話スイッチ１０の他にフックスイッチ２０を設けて、これらにリードスイッチを採用することで、スイッチ操作時の雑音の混入を防ぎつつ、外部磁界による誤動作も防止できる。
【符号の説明】
【００３２】
１０    送話スイッチ
２０    フックスイッチ
３０    マイクロホンユニット
１００  ハンドセットマイクロホン
【図１】
2015005837.tif 000003
【図２】
2015005837.tif 000004
【図３】
2015005837.tif 000005
【図４】
2015005837.tif 000006